(57)【要約】【課題】本発明は電子機器に関するもので、商品価値の低下を防止することを目的とするものである。【解決手段】そして、この目的を達成するために本発明は、滑動案内部１０の下方外周部分で、操作ボタン４の表示部７外周に対応する部分に、滑動材用傾斜面１２を設けたので、操作ボタン４の滑動部９と、本体ケース１の滑動案内部１０との間に設けた液状、もしくはゲル状の滑動材１１が、本体ケース１の滑動案内部１０を介して表面側に流出しようとした場合、この滑動材用傾斜面１２の存在により、流出経路が長くなり、その結果として、液状、もしくはゲル状の滑動材１１が操作ボタン４の表面側へと流出しにくく、これにより、商品価値の低下を防止することが出来るのである。【選択図】図２
2012204045.tif 000002
【特許請求の範囲】
【請求項１】
本体ケースと、この本体ケースの前面側に設けた操作開口部内に、この操作開口部の後方側へと移動自在に配置された操作ボタンと、この操作ボタンの後方側であって、この操作ボタンとは所定間隔をおいて配置された光源とを備え、前記操作ボタンは、前記操作開口部を覆った表示部と、この表示部に設けた透光表示部と、前記表示部の後面外周内の少なくとも下側部分から、後方に延長した滑動部とを有し、前記本体ケースの操作開口部内の少なくとも下側部分には、前記操作ボタンの滑動部を案内する滑動案内部と、この滑動案内部の下方外周部分で、前記操作ボタンの表示部外周に対応する部分に設けた滑動材用傾斜面とを設け、前記滑動材用傾斜面は、その下辺部が上辺部よりも前方側となる傾斜面を有し、前記操作ボタンの滑動部と、前記操作開口部内の滑動案内部との間には、液状、もしくはゲル状の滑動材を設けた電子機器。
【請求項２】
滑動材用傾斜面は、滑動案内部の先端よりも後方側に設けた請求項１に記載の電子機器。
【発明の詳細な説明】
【技術分野】
【０００１】
本発明は、本体ケースの前面側に設けた操作開口部内に、この操作開口部の後方側へと移動自在に配置された操作ボタンを有する電子機器に関するものである。
【背景技術】
【０００２】
従来のこの種、電子機器は、本体ケースと、この本体ケースの前面側に設けた操作開口部内に、この操作開口部の後方側へと移動自在に配置された操作ボタンと、この操作ボタンの後方側であって、この操作ボタンとは所定間隔をおいて配置された光源とを備えた構成となっていた（例えば、下記特許文献１）。
【０００３】
すなわち、前記操作ボタンの後方には光源を配置しているので、この光源からの光が、操作ボタンに設けた透光表示部を照明し、これによって操作ボタンの機能（例えばＡ機能ＯＮ）が理解されるようにしているのである。
【先行技術文献】
【特許文献】
【０００４】
【特許文献１】特開２００５−２５９４８号公報
【発明の概要】
【発明が解決しようとする課題】
【０００５】
上記従来例の電子機器においては、操作ボタンの操作性（滑り）を良くするために、この操作ボタンと、本体ケースの操作開口部間に、液状、もしくはゲル状の滑動材を配置している。
【０００６】
したがって、操作ボタンの操作性は極めて良好なものになるが、この操作ボタンの操作を繰り返すことにより、前記液状、もしくはゲル状の滑動材の一部が、操作ボタンの表面側に流出してしまうこともある。
【０００７】
しかしながら、このように液状、もしくはゲル状の滑動材の一部が、操作ボタンの表面側に流出してしまうと、操作ボタンが汚れやすく、商品価値を低下させてしまう。
【０００８】
そこで、本発明は、商品価値の低下を防止することを目的とするものである。
【課題を解決するための手段】
【０００９】
そして、この目的を達成するために本発明は、本体ケースと、この本体ケースの前面側に設けた操作開口部内に、この操作開口部の後方側へと移動自在に配置された操作ボタンと、この操作ボタンの後方側であって、この操作ボタンとは所定間隔をおいて配置された光源とを備え、前記操作ボタンは、前記操作開口部を覆った表示部と、この表示部に設けた透光表示部と、前記表示部の後面外周内の少なくとも下側部分から、後方に延長した滑動部とを有し、前記本体ケースの操作開口部内の少なくとも下側部分には、前記操作ボタンの滑動部を案内する滑動案内部と、この滑動案内部の下方外周部分で、前記操作ボタンの表示部外周に対応する部分に設けた滑動材用傾斜面とを設け、前記滑動材用傾斜面は、その下辺部が上辺部よりも前方側となる傾斜面を有し、前記操作ボタンの滑動部と、前記操作開口部内の滑動案内部との間には、液状、もしくはゲル状の滑動材を設け、これにより所期の目的を達成するものである。
【発明の効果】
【００１０】
以上のように本発明は、本体ケースと、この本体ケースの前面側に設けた操作開口部内に、この操作開口部の後方側へと移動自在に配置された操作ボタンと、この操作ボタンの後方側であって、この操作ボタンとは所定間隔をおいて配置された光源とを備え、前記操作ボタンは、前記操作開口部を覆った表示部と、この表示部に設けた透光表示部と、前記表示部の後面外周内の少なくとも下側部分から、後方に延長した滑動部とを有し、前記本体ケースの操作開口部内の少なくとも下側部分には、前記操作ボタンの滑動部を案内する滑動案内部と、この滑動案内部の下方外周部分で、前記操作ボタンの表示部外周に対応する部分に設けた滑動材用傾斜面とを設け、前記滑動材用傾斜面は、その下辺部が上辺部よりも前方側となる傾斜面を有し、前記操作ボタンの滑動部と、前記操作開口部内の滑動案内部との間には、液状、もしくはゲル状の滑動材を設けたものであるので、液状、もしくはゲル状の滑動材が操作ボタンの表面側へと流出しにくく、その結果として商品価値の低下を防止することが出来る。
【００１１】
すなわち、本発明においては、前記滑動案内部の下方外周部分で、前記操作ボタンの表示部外周に対応する部分に、滑動材用傾斜面を設けたので、操作ボタンの滑動部と、前記本体ケースの滑動案内部との間に設けた液状、もしくはゲル状の滑動材が、本体ケースの滑動案内部を介して表面側に流出しようとした場合、この滑動材用傾斜面の存在により、流出経路が長くなり、その結果として、液状、もしくはゲル状の滑動材が操作ボタンの表面側へと流出しにくく、これにより、商品価値の低下を防止することが出来るのである。
【図面の簡単な説明】
【００１２】
【図１】本発明の一実施形態にかかる電子機器の正面図
【図２】同操作部の断面図（図１のＡ−Ａ線断面図）
【図３】同操作部の断面図（図１のＡ−Ａ線断面図）
【図４】比較例を示す断面図
【発明を実施するための形態】
【００１３】
以下、本発明の一実施形態を、図面を用いて説明する。
【００１４】
（実施の形態１）
図１において、１は例えば自動車車内の前方に配置される音響再生装置（電子機器の一例）の本体ケースであり、この本体ケース１の前面側上方には、光ディスク（図示せず）を挿入する挿入口２が配置されている。
【００１５】
また、この挿入口２の下方には表示部３が配置され、さらにその下方には複数の操作ボタン４が配置されている。
【００１６】
つまり、光ディスク（図示せず）を挿入口２から本体ケース１内に挿入し、操作ボタン４を押せば、光ディスクに記録された例えば音楽が再生され、その曲名などが表示部３に表示されるようになっている。
【００１７】
さて、本体ケース１の操作ボタン４装着部は図２に示すような構成となっている。
【００１８】
すなわち、本体ケース１の前面側には、矩形状の操作開口部５が設けられており、この操作開口部５内には、この操作開口部５の後方側へと移動自在に前記操作ボタン４が配置されている。
【００１９】
また、操作ボタン４の後方側であって、この操作ボタン４とは所定間隔をおいて光源６が配置されている。
【００２０】
前記操作ボタン４は、前記操作開口部５を覆った矩形状の表示部７を備えている。
【００２１】
また、この表示部７の略全面は遮光体８で覆われているが、この遮光体８に例えば動作表示を行う開口（図面の煩雑化を避けるために図示せず）を設けることで、その開口を透光表示部としている。
【００２２】
つまり、前記光源６からの光を、遮光体８の開口を介して全面側に透光させることで、透光表示部としているのである。
【００２３】
また、前記表示部７の後面外周内には、後方に延長した枠体状の滑動部９が設けられており、またこの滑動部９の外周方向、つまり、前記本体ケース１の操作開口部５内には、前記操作ボタン４の滑動部９を案内する滑動案内部１０が設けられており、前記操作ボタン４の滑動部９と、前記操作開口部５内の滑動案内部１０との間には、液状、もしくはゲル状の滑動材１１を設けている。
【００２４】
また、前記本体ケース１の操作開口部５内であって、前記滑動案内部１０の外周部分で、前記操作ボタン４の表示部７外周に対応する部分には、滑動材用傾斜面１２を設けている。
【００２５】
滑動材用傾斜面１２は操作開口部５の内方四辺にあわせて、全周に設けられているが、この滑動材用傾斜面１２の内、図２において下方側のものは、この図２に示すように、その下辺部が上辺部よりも前方側となる傾斜面となっている。
【００２６】
また、このような構成の滑動材用傾斜面１２は、滑動案内部１０の先端よりも後方側に設けている。
【００２７】
このため、前記操作ボタン４の滑動部９と、前記操作開口部５内の滑動案内部１０との間に設けた、液状、もしくはゲル状の滑動材１１が、操作ボタン４の操作に応じて、滑動案内部１０上を前方に流れた状態が発生しても、それは、次に滑動材用傾斜面１２に向けて後進し、その後、滑動材用傾斜面１２に沿って流れることになり、つまり流動距離が長くなるので、この液状、もしくはゲル状の滑動材が操作ボタン４の表面側へと流出しにくく、その結果として商品価値の低下を防止することが出来ることとなる。
【００２８】
これに対して、図４は滑動材用傾斜面１２が無い比較例であり、この場合には、操作ボタン４の操作に応じて、滑動案内部１０上を前方に流れた状態が発生した時には、直ちに、操作開口部５へと流れることになり、つまり流動距離が短く、その結果として、この液状、もしくはゲル状の滑動材が操作ボタン４の表面側へと流出しやすくなる。
【００２９】
また、この比較例である図４と、本実施形態を示す図１との比較から理解されるように、滑動材用傾斜面１２を設けるために、滑動材用傾斜面１２は操作開口部５内の後方側に設けられていることが、上述した流動距離を長くすることに寄与している。
【００３０】
また、実施形態品では、図示していないが、操作ボタン４の押し込み時には、その下方の方が上方よりも大きく後方に移動する構成としている。つまり、操作ボタン４の上辺側に軸支部分が設けられているので、上述した滑動材用傾斜面１２の内、特に下辺部分（図２の下側の滑動材用傾斜面１２）について、その下辺部を上辺部よりも前方側となる傾斜面とすることが効果的である。
【００３１】
また、このような構成とすると、図２の矢印ごとく光源６から下方に向かう光は、滑動材用傾斜面１２によって上方に反射することになるので、操作ボタン４の下辺側からの光
漏れも無く、この点からも商品価値の低下を防止することが出来る。
【００３２】
つまり、図４の比較例であれば、光源６から下方に向かう光の一部は滑動部（透明）９を通過後、垂直面Ａで反射し、次に垂直面Ｂで再度反射し、その後、上述のごとく大きく後方に押された操作ボタン４の下辺側から前方へと漏れ出してしまい、商品価値を低下させてしまう。
【００３３】
これに対して、本実施形態では、図３のごと、光源６から下方に向かう光の一部は滑動部（透明）９を通過後、垂直面Ａで反射し、次に滑動材用傾斜面１２によって上方に反射することになるので、操作ボタン４の下辺側からの光漏れも無く、この点からも商品価値の低下を防止することが出来るのである。
【産業上の利用可能性】
【００３４】
以上のように本発明においては、前記滑動案内部の下方外周部分で、前記操作ボタンの表示部外周に対応する部分に、滑動材用傾斜面を設けたので、操作ボタンの滑動部と、前記本体ケースの滑動案内部との間に設けた液状、もしくはゲル状の滑動材が、本体ケースの滑動案内部を介して表面側に流出しようとした場合、この滑動材用傾斜面の存在により、流出経路が長くなり、その結果として、液状、もしくはゲル状の滑動材が操作ボタンの表面側へと流出しにくく、これにより、商品価値の低下を防止することが出来るのである。
【００３５】
したがって、車載用の電子機器としての活用が期待されるものとなる。
【符号の説明】
【００３６】
１  本体ケース
２  挿入口
３  表示部
４  操作ボタン
５  操作開口部
６  光源
７  表示部
８  遮光体
９  滑動部
１０  滑動案内部
１１  滑動材
１２  滑動材用傾斜面
【図１】
2012204045.tif 000003
【図２】
2012204045.tif 000004
【図３】
2012204045.tif 000005
【図４】
2012204045.tif 000006